(57)【要約】      （修正有）【課題】側翼を交換でき、各種の使用者の胸の形に適合するブラジャー構造を提供する。【解決手段】お互いに隣接して、それぞれが人体の２つの乳房に対応し、第１の貼付構造を有する２つのカップ１１と、２つの側翼１３とを備える。２つの側翼１３は、それぞれが第２の貼付構造１２ｂ及び粘着層１３ａを有し、第２の貼付構造１２ｂが第１の貼付構造に貼り合せられ、外すことが可能である。各側翼１３と各カップ１１は第１の貼付構造及び第２の貼付構造１２ｂによって連結されて、粘着層１３ａが各乳房の外側に対応して貼り付けられる。【選択図】図２
0003185812.tif 000002
【実用新案登録請求の範囲】
【請求項１】
お互いに隣接して、それぞれが人体の２つの乳房に対応し、第１の貼付構造を有する２つのカップと、
２つの側翼であって、それぞれが第２の貼付構造及び粘着層を有し、前記第２の貼付構造が前記第１の貼付構造に貼り合せられ、外すことが可能であり、各前記側翼と各前記カップが前記第１の貼付構造及び前記第２の貼付構造によって連結されて、前記粘着層が各前記乳房の外側に対応して貼り付けられる２つの側翼と
を備えるブラジャー構造。
【請求項２】
前記第１の貼付構造が第１の貼付ピースであり、前記第２の貼付構造が第２の貼付ピースであり、前記第１の貼付ピースが各前記カップに固定接続され、各前記側翼が各前記第２の貼付ピースに固定接続されて、各前記側翼と各前記カップが各前記貼付モジュールによって連結される、請求項１に記載のブラジャー構造。
【請求項３】
各前記カップの内表面が各前記第１の貼付構造としてよい、請求項２に記載のブラジャー構造。
【請求項４】
前記第１の貼付構造の第１の端部と前記第２の貼付構造の第３の端部とが対応する外形を有し、前記第１の貼付構造が前記第２の貼付構造に貼り合せられる時に、前記第１の端部が前記第３の端部に貼り合せられる、請求項２に記載のブラジャー構造。
【請求項５】
前記第１の貼付構造の第２の端部の面積が前記２つの貼付構造の第４の端部の面積より大きく、前記第１の貼付構造が前記第２の貼付構造に貼り合せられる時に、前記第２の端部が前記第４の端部に貼り合せられる、請求項２に記載のブラジャー構造。
【請求項６】
前記第１の貼付構造が円心を有するように定義され、前記第２の貼付構造が前記円心を基準として所定の角度で回転した後、前記第１の貼付構造に貼り付けられる、請求項１に記載のブラジャー構造。
【請求項７】
前記カップが分離でき、締結具モジュールによって連結される、請求項１に記載のブラジャー構造。
【請求項８】
各前記第１の貼付構造が各前記カップの縁領域に位置する、請求項１に記載のブラジャー構造。
【請求項９】
各前記カップが各前記カップの縁領域から延伸した延伸シートをさらに有し、前記延伸シートに前記第１の貼付構造を持たせる、請求項１に記載のブラジャー構造。
【請求項１０】
各前記側翼が、前記粘着層に貼り付けられ、前記粘着層から分離できる保護層を備える、請求項１に記載のブラジャー構造。
【考案の詳細な説明】
【技術分野】
【０００１】
本考案はブラジャー構造に関する。
【背景技術】
【０００２】
胸の形を効果的に整えるために、女性は、一般に、ブラジャーを着用する。女性が肩部又は背部を露出できる服を着ている時に、ブラジャーの肩帯が外へ露出することを避けるために、肩帯ないデザインのブラジャーが様々市販されている。
【０００３】
例を挙げると、特許文献１には、肩帯がなく、それぞれが外すことができなく各カップの外側に位置し、且つ人体乳房の外側に貼り付けられるために繰り返して貼り付けられる粘着剤を有する２つの側翼を備える従来の自動粘着式ブラジャーが開示されている。しかし、繰り返して使用して、これらの側翼の粘着性が消えてしまうことで、これらの側翼がカップから分離できないため、従来の調整式成形ブラジャーではその全体を捨てはならなく、資源の浪費になる。なお、側翼のカップに対する角度が変更できず、従来のブラジャー構造が各種の輪廓の胸の形に適用できないため、異なる使用者の胸部の形状に合わせて各種のモデルのブラジャーを製造することが必要となる。このため、生産コストも向上してしまう。
【０００４】
これに鑑みて、上述した欠点を解決するためのブラジャー構造を提供することがこの業界が差し迫って解決しなければならない問題である。
【先行技術文献】
【特許文献】
【０００５】
【特許文献１】台湾実用新案第Ｍ２６３７６４号明細書
【考案の概要】
【考案が解決しようとする課題】
【０００６】
本考案は、その側翼を交換でき、各種の使用者の胸の形に適合するブラジャー構造を提供することを目的の一つとする。
【課題を解決するための手段】
【０００７】
上述の目的を達成するために、本考案に係る胸パッド調整構造は、２つのカップと２つの側翼とを備える。各このカップがお互いに隣接して、人体の２つの乳房に対応し、第１の貼付構造を有し、各この側翼が第２の貼付構造及び粘着層を有し、この第２の貼付構造がこの第１の貼付構造に貼り合せられ、外すことが可能であり、各この側翼と各このカップがこの第１の貼付構造及びこの第２の貼付構造によって連結され、この粘着層が各この乳房の外側に対応して貼り付けられる。
【０００８】
上述した目的、技術特徴及び長所をより分かりやすくするため、以下、添付図面を参照しながら好ましい実施例によって詳しい説明を行う。
【図面の簡単な説明】
【０００９】
【図１】本考案に係るブラジャー構造の第１の実施例の模式図である。
【図２】本考案に係るブラジャー構造の第１の実施例の別の模式図である。
【図３】本考案に係るブラジャー構造の第１の実施例の側面模式図である。
【図４】本考案に係るブラジャー構造の第１の実施例の側翼の模式図である。
【図５】本考案に係るブラジャー構造の第１の実施例の乳房に対する関係の模式図である。
【図６】本考案に係るブラジャー構造の別の実施例の模式図である。
【図７】本考案に係るブラジャー構造の第２の実施例の模式図である。
【図８】本考案に係るブラジャー構造の第２の実施例の別の模式図である。
【考案を実施するための形態】
【００１０】
本考案に係るブラジャー構造について、本考案の第１の実施例のブラジャー構造１の模式図である図１、本実施例の別の模式図である図２、本考案に係るブラジャー構造１の側面模式図である図３、本考案に係るブラジャー構造１の側翼１３の模式図である図４、本考案に係るブラジャー構造１の乳房に対する関係の模式図である図５を参照する。
【００１１】
本実施例のブラジャー構造１は、２つのカップ１１と２つの側翼１３とを備え、各カップ１１はお互いに隣接して、それぞれが人体の２つの乳房に対応する。カップ１１は第１の貼付構造１２ａを有し、各側翼１３は第２の貼付構造１２ｂ、粘着層１３ａ及び保護層１３ｂを有し、第２の貼付構造１２ｂがこの第１の貼付構造１２ａに貼り合せられ、外すことが可能である。各側翼１３と各カップ１１がこの第１の貼付構造１２ａ及びこの第２の貼付構造１２ｂによって連結され、即ち、必要に応じて第２の貼付構造１２ｂを第１の貼付構造１２ａに貼り付けたり、直接に第１の貼付構造１２ａから分離したりできる。保護層１３ｂが粘着層１３ａに貼り付けられ、粘着層１３ａから分離でき、使用者がブラジャー構造１を着用している時に、粘着層１３ｂが各乳房の外側に対応して貼り付けられて、ブラジャー構造１を使用者の胸部に固定している。粘着層１３ｂが数回使用されたことで粘性を有しなくなった時には、使用者が第１の貼付構造１２ａと第２の貼付構造１２ｂとを分離して更に新しい側翼を交換するだけでよく、資源の浪費が避けられ得る。
【００１２】
本考案の他の実施例においては、各側翼では、保護層で粘着層を保護しなくてよく、側翼を使用しない時に、これらの側翼の粘着層をお互いに貼り合せて粘着層の粘性を保護することができる。
【００１３】
本実施例において、第１の貼付構造１２ａが第１の貼付ピースであり、この第２の貼付構造１２ｂが第２の貼付ピースであり、この第１の貼付ピースが各カップ１１に固定接続され、各側翼１３が各第２の貼付ピースに固定接続されて、各側翼１３と各カップ１１が各貼付モジュール１２によって連結される。
【００１４】
本実施例において、各第１の貼付構造１２ａが各カップ１１の内表面１１ａに位置し、この内表面１１ａは凹面である。使用者が本実施例のブラジャー構造１を着用する時に、乳房が内表面１１ａに対応して貼り付けられる。ただし、第１の貼付構造１２ａと第２の貼付構造１２ｂが対応してお互いに貼り付けられる限り、第１の貼付構造１２ａが前記位置に限定されない。本考案の他の実施例において、第１の貼付構造１２ａが、カップの外表面（即ち、凸面）に位置し、第２の貼付構造１２ｂに対応して貼り合せられるように設けてもよいことに留意すべきである。より詳しく言えば、本実施例において、各第１の貼付構造１２ａはカップ１１の縁領域に位置してよい。ただし、同様に、各第１の貼付構造が前記位置だけに限定されず、第１の貼付構造をいかなる位置に設けてカップに固定接続し、且つ第２の貼付構造をそれに貼り付けるようにしてもよい。
【００１５】
本実施例において、第１の貼付構造１２ａ及び第２の貼付構造１２ｂの材質はオスメス締結具モジュールであってよい。ただし、本考案の他の実施例においては、第１の貼付構造がカップの一部であり、即ち、カップの材質が綿ネルであってよい。第１の貼付構造がカップの一部であるために、第１の貼付構造が同様に綿ネルの構造を有してメス締結具としてよく、第２の貼付構造をオス締結具として第１の貼付構造に付着させやすい。同じ原理から分かるように、本考案の他の実施例において、側翼の材質が綿ネルであってもよい。第２の貼付構造が側翼の一部であり、第２の貼付構造が同様に綿ネル構造を有してメス締結具とし、第１の貼付構造をオス締結具として第２の貼付構造に付着させやすい。
【００１６】
また、本考案の別の実施例のブラジャー構造である図６を参照すると、これらのカップ１１が締結具モジュール１４によってお互いに接合できる。これによって、使用者が締結具モジュール１４を外したり組み合わせたりすることによってこれらのカップ１１を分離したり組み合わせたりできる。
【００１７】
第１の貼付構造１２ａが第１の端部１２０及び第２の端部１２１を備え、第２の貼付構造１２ｂが第３の端部１２２及び第４の端部１２３を備え、第１の貼付構造１２ａが第２の貼付構造１２ｂに貼り合せられる時に、第１の端部１２０が第３の端部１２２に貼り合せられ、第２の端部１２１が第４の端部１２３に貼り合せられる。
【００１８】
ブラジャー構造１を異なる使用者の胸の形に合わせるために、第１の端部１２０が円心Ｃ１を有するように定義され、第１の貼付構造１２ａの第２の端部１２１の面積が２つの貼付構造１２ｂの第４の端部１２３の面積より大きい。第２の貼付構造１２ｂが円心Ｃ１を基準として第１の貼付構造１２ａに対して所定の角度で回転してから第１の貼付構造１２ａに貼り付けられる。
【００１９】
詳しく述べると、図５に示すように、使用者が第１のサイズの乳房２ａである時に、乳房２ａとカップ１１との間に隙間が発生して充分に貼り合せられないことを防止するために、第２の貼付構造１２ｂを、円心Ｃ１を基準として第１の貼付構造１２ａに対して所定の角度で第１の位置Ａ１に回転させることができる。第２の貼付構造１２ｂが第１の位置Ａ１にある時に、第２の貼付構造１２ｂがカップ１１に近く、次に、第２の貼付構造１２ｂを第１の貼付構造１２ａに貼り合せ、この時に側翼１３の粘着層１３ａを乳房２ａの外側に粘着して、ブラジャー構造１を適合に使用者の胸部に固定することができる。
【００２０】
また、使用者が第２のサイズの乳房２ｂである時、乳房２ｂとカップ１１とが充分に貼り合せられないことを防止するために、第２の貼付構造１２ｂを、円心Ｃ１を基準として第１の貼付構造１２ａに対して所定の角度で第２の位置Ａ２に回転させることができる。第２の貼付構造１２ｂが第２の位置Ａ２にある時に、第２の貼付構造１２ｂが約第１の貼付構造１２ａの中央領域に位置し、次に、第２の貼付構造１２ｂを第１の貼付構造１２ａに貼り合せ、この時に側翼１３の粘着層１３ａを乳房２ｂの外側に粘着して、ブラジャー構造１を適合に使用者の胸部に固定することができる。
【００２１】
使用者が第３のサイズの乳房２ｃである時に、カップ１１が乳房２ｃを圧迫することを防止するために、第２の貼付構造１２ｂを、円心Ｃ１を基準として第１の貼付構造１２ａに対して所定の角度で第３の位置Ａ３に回転させることができる。第２の貼付構造１２ｂが第３の位置Ａ３にある時に、第２の貼付構造１２ｂがカップ１１から離れ、次に、第２の貼付構造１２ｂを第１の貼付構造１２ａに貼り合せ、この時に側翼の粘着層１３ａを乳房２ｃの外側に粘着して、ブラジャー構造１を好適に使用者の胸部に固定することができる。
【００２２】
使用者が第２の貼付構造１２ｂを円心Ｃ１に合わせて回転させられるように、第１の貼付構造１２ａの第１の端部１２０と第２の貼付構造１２ｂの第３の端部１２２とが対応する外形を有し、使用者が第３の端部１２２と第１の端部１２０の外形を合わせることで、正確に円心Ｃ１に合わせる。
【００２３】
本考案の第２の実施例のブラジャー構造３の模式図である図７及び図８を参照すると、本実施例は本考案の第１の実施例と同様に、２つのカップ３１と２つの側翼３３とを備える。各カップ３１がお互いに隣接して、それぞれが人体の２つの乳房に対応し、第１の貼付構造３２ａを有し、各側翼３３が第２の貼付構造３２ｂを有し、第１の貼付構造３２ａが第１の貼付ピースであり、第２の貼付構造３２ｂが第２の貼付ピースであり、第１の貼付ピースが各カップ３１に固定接続され、第２の貼付ピースが第１の貼付ピースに貼り合せられ、外すことが可能である。各側翼３３が粘着層３３ａ及び保護層３３ｂを有し、各側翼３３が各第２の貼付構造３２ｂに固定接続されて、各側翼３３と各カップ３１が第１の貼付構造３２ａ及び第２の貼付構造３２ｂによって連結され、保護層３３ｂが粘着層３３ａに貼り付けられ、粘着層３３ａから分離できる。使用者がブラジャー構造３を着用している時に、粘着層３３ａが各乳房の外側に対応して貼り付けられて、ブラジャー構造３を使用者の胸部に固定している。粘着層３３ａが数回使用されたことで粘性を有しなくなった時には、使用者が第１の貼付構造３２ａと第２の貼付構造３２ｂとを分離して更に新しい側翼だけを交換すればよく、資源の浪費が避けられ得る。
【００２４】
本実施例は、各カップ３１が各カップ３１の縁領域から延伸した延伸シート３１ｂを更に有し、各延伸シート３１ｂに各第１の貼付構造３２ａを持たせることが本考案の第１の実施例と異なっている。本考案の他の実施例においては、第１の貼付構造３２ａ及び第２の貼付構造３２ｂの材質はオスメス締結具モジュールであってよく、各延伸シートの材質は綿ネルであってよく、第１の貼付構造が各延伸シートの一部であるために、第１の貼付構造は同様に綿ネルの構造を有してメス締結具としてよく、第２の貼付構造をオス締結具として第１の貼付構造に付着させやすい。
【００２５】
同様に、本実施例において、自分の胸の形に合わせるために、使用者が第２の貼付構造３２ｂを第１の貼付構造３２ａに対して所定の角度で回転させることもできる。この部分が本考案の第１の実施例と同様であり、ここでは繰り返し述べることはしない。また、本考案の他の実施例において、各側翼では、保護層で粘着層を保護しなくてよく、側翼を使用しない時に、これらの側翼の粘着層をお互いに貼り合せて粘着層の粘性を保護することができる。
【００２６】
本考案の第１の実施例と同様に、各第１の貼付構造３２ａが各カップ３１の内表面３１ａに位置し、内表面３１ａは凹面である。使用者が本実施例のブラジャー構造３を着用する時に、乳房が内表面３１ａに対応して貼り付けられる。ただし、第１の貼付構造３２ａと第２の貼付構造３２ｂが対応してお互いに貼り付けられる限り、第１の貼付構造３２ａが前記位置に限定されることはなく、本考案の他の実施例において、第１の貼付構造３２ａが、カップの外表面(即ち、凸面)に位置し、第２の貼付構造に対応して貼り合せられるように設けてもよい。
【００２７】
以上述べたように、従来の技術と比べると、本考案に係るブラジャー構造は、第１の貼付構造と第２の貼付構造の設計によって外すことが可能であり、使用者の要求に応じてカップに対して異なる角度で傾斜できる側翼を提供でき、各種の異なる使用者の胸部の形状に適用され得る。
【００２８】
上述した実施例は、本考案の態様を挙げること及び本考案の技術特徴を説明することだけに用いられ、本考案の技術的範囲を限定するためのものではない。当業者が容易に完成できる変更又は均等的な置換はすべて本考案の技術的範囲に含まれる。本考案の技術的範囲は以下の実用新案登録請求の範囲に基づいて定められる。
【符号の説明】
【００２９】
１      ブラジャー構造
１１    カップ
１１ａ  内表面
１２ａ  第１の貼付構造
１２ｂ  第２の貼付構造
１２０  第１の端部
１２１  第２の端部
１２２  第３の端部
１２３  第４の端部
１３    側翼
１３ａ  粘着層
１３ｂ  保護層
１４    締結具モジュール
２ａ    乳房
２ｂ    乳房
２ｃ    乳房
３      ブラジャー構造
３１    カップ
３１ａ  内表面
３１ｂ  延伸シート
３２ａ  第１の貼付構造
３２ｂ  第２の貼付構造
３３    側翼
３３ａ  粘着層
３３ｂ  保護層
Ａ１    第１の位置
Ａ２    第２の位置
Ａ３    第３の位置
Ｃ１    円心
【図１】
0003185812.tif 000003
【図２】
0003185812.tif 000004
【図３】
0003185812.tif 000005
【図４】
0003185812.tif 000006
【図５】
0003185812.tif 000007
【図６】
0003185812.tif 000008
【図７】
0003185812.tif 000009
【図８】
0003185812.tif 000010